(57)【特許請求の範囲】
【請求項１】
後部に同軸ケーブルを装着するケーブル装着手段を有する一方、前部に前記同軸ケーブルの接続対象へ接続するために雌ねじが切られたナット体を有し、
前記ケーブル装着手段は、同軸ケーブルが挿入される略筒形状の外部筒体内に形成され、後方側の先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、
外部筒体の前面は、装着した同軸ケーブルの中心導体を含む内部絶縁体部分を挿通する挿通孔を有すると共に、該挿通孔の周囲に前記ナット体を回転可能に嵌合保持する嵌合部が突設され、挿入装着された同軸ケーブルの中心導体を前記挿通孔から突出させて、前記ナット体の中心軸上に配置させて成る同軸ケーブル用コネクタであって、
前記スリーブ部と前記嵌合部とは、前記外部筒体に嵌合保持される円盤状突起を備えた内部筒体に一体に形成され、
前記抜け止め具は、前記外部筒体と同一中心軸を有する筒形状胴部と、同軸ケーブル周囲に線接触して咬持動作するよう前記胴部の前部に窄み形成した咬持部と、前記胴部の後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、
前記リリーサは、円筒状摺動部と該摺動部を操作する鍔状操作部とを有して前記摺動部先端が前記咬持部の背部に配置され、
前記外部筒体内へ挿入された同軸ケーブルに対し、前記咬持部が咬持して同軸ケーブルの抜脱を阻止し、前記摺動部を前方へ摺動することで、摺動部先端が前記咬持部を後方から押上げて同軸ケーブルの咬持動作を解除することを特徴とする同軸ケーブル用コネクタ。
【請求項２】
後部に同軸ケーブルを装着するケーブル装着手段を有する一方、前部に前記同軸ケーブルの接続対象へ接続するために雄ねじが切られたボルト体を有し、
前記ケーブル装着手段は、同軸ケーブルが挿入される略筒形状の外部筒体内に形成され、後方側の先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、
前記ボルト体は外部筒体に一体形成され、該ボルト体中心軸上には外部筒体内のスリーブ部に亘り貫通形成された連通孔を有し、該連通孔が、接続対象の中心導体を挿入する孔であると共に外部筒体に挿入装着した同軸ケーブルの中心導体を挿入する孔であり、前記連通孔内部に配置した連結金具により、前記接続対象の中心導体と前記外部筒体に装着された同軸ケーブルの中心導体とが連結される同軸ケーブル用コネクタであって、
前記スリーブ部は、前記外部筒体に嵌合保持される円盤状突起を備えた内部筒体に一体に形成され、
前記抜け止め具は、前記外部筒体と同一中心軸を有する筒形状胴部と、同軸ケーブル周囲に線接触して咬持動作するよう前記胴部の前部に窄み形成した咬持部と、前記胴部の後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、
前記リリーサは、円筒状摺動部と該摺動部を操作する鍔状操作部とを有して前記摺動部先端が前記咬持部の背部に配置され、
前記外部筒体内へ挿入された同軸ケーブルに対し、前記咬持部が咬持して同軸ケーブルの抜脱を阻止し、前記摺動部を前方へ摺動することで摺動部先端が前記咬持部を後方から押上げて同軸ケーブルの咬持動作を解除することを特徴とする同軸ケーブル用コネクタ。
【請求項３】
外部から同軸ケーブルを装着する同軸ケーブル装着手段を有する電子機器収納用箱体であって、
前記同軸ケーブル装着手段は、箱体に同軸ケーブルが挿入される略筒形状の外部筒体を突設してその内部に形成され、同軸ケーブルを挿入する先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、
前記抜け止め具は、前記外部筒体と同一中心軸を有する筒形状胴部と、同軸ケーブル周囲に線接触して咬持動作するよう箱体側となる前記胴部の前部に窄み形成した咬持部と、前記胴部の同軸ケーブル挿入側となる後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、
前記リリーサは、円筒状摺動部と摺動部を操作する鍔状操作部とを有して前記摺動部先端を前記咬持部の内側となる背部に配置し、
前記外部筒体内へ挿入された同軸ケーブルに対し、前記咬持部が咬持して同軸ケーブルの抜脱を阻止し、前記摺動部を箱体方向へ摺動することで、摺動部先端が前記咬持部を背部から押上げて同軸ケーブルの咬持動作を解除することを特徴とする電子機器収納用箱体。
【発明の詳細な説明】
【０００１】
【発明の属する技術分野】
本発明は、同軸ケーブル同士或いは同軸ケーブルを電子機器の筐体に接続するために同軸ケーブル端部に装着する同軸ケーブル用コネクタ、及び同軸ケーブルを直接接続できる電子機器収納用箱体に関する。
【０００２】
【従来の技術】
同軸ケーブルにコネクタを装着する場合、従来はケーブルの抜けを防ぐために、フェルール又はシェルと一体になったリング部分をペンチや特殊工具を用いてカシメを行い、コネクタをケーブルに装着する方法が広く採用されていた（例えば特許文献１の従来技術参照）。
しかし、この方法は工具を用いてカシメを行わなければならず、コネクタの装着作業が面倒であったため、特許文献１に記載されているように内側筒部に内側爪部、外側筒部に外側爪部を設けて同軸ケーブルを挿入するだけでコネクタに装着できる構成や、本発明者等が先に出願した特許文献２に示すように、爪部を有するリング状の抜け止め具を同軸ケーブルに外嵌して、爪部をケーブルに食い込ませて抜けを防止させ、カシメの工程を必要とせずにケーブルが抜け難くしたコネクタの構成や同様の端子を設けた電子機器収納用箱体の構成が知られている。
【０００３】
【特許文献１】
特開平１１−２８８７６７号公報（第１０図）
【特許文献２】
特開２００２−１８４５３６号公報（第７図）
【０００４】
【発明が解決しようとする課題】
しかし、上記特許文献１及び２で開示した技術は、リリース機能がなく、一度装着した同軸ケーブルを外すことが困難なため、同軸ケーブルを変更したい場合は新たなコネクタを必要としたし、同軸ケーブルの長さを変えたい場合はケーブルのコネクタ部を切断して新たなコネクタを装着していた。また、電子機器収納用箱体に至っては、箱体自体を交換して対応する以外になかった。
そこで、本発明は上記問題点に鑑み、同軸ケーブルが抜け難く且つリリース機能を有する同軸ケーブル用コネクタ及び電子機器収納用箱体を提供することを課題とする。
【０００５】
【課題を解決するための手段】
上記課題を解決する為に、請求項１の発明は、後部に同軸ケーブルを装着するケーブル装着手段を有する一方、前部に前記同軸ケーブルの接続対象へ接続するために雌ねじが切られたナット体を有し、前記ケーブル装着手段は、同軸ケーブルが挿入される略筒形状の外部筒体内に形成され、後方側の先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、外部筒体の前面は、装着した同軸ケーブルの中心導体を含む内部絶縁体部分を挿通する挿通孔を有すると共に、該挿通孔の周囲に前記ナット体を回転可能に嵌合保持する嵌合部が突設され、挿入装着された同軸ケーブルの中心導体を前記挿通孔から突出させて、前記ナット体の中心軸上に配置させて成る同軸ケーブル用コネクタであって、前記スリーブ部と前記嵌合部とは、前記外部筒体に嵌合保持される円盤状突起を備えた内部筒体に一体に形成され、前記抜け止め具は、前記外部筒体と同一中心軸を有する筒形状胴部と、同軸ケーブル周囲に線接触して咬持動作するよう前記胴部の前部に窄み形成した咬持部と、前記胴部の後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、前記リリーサは、円筒状摺動部と該摺動部を操作する鍔状操作部とを有して前記摺動部先端が前記咬持部の背部に配置され、前記外部筒体内へ挿入された同軸ケーブルに対し、前記咬持部が咬持して同軸ケーブルの抜脱を阻止し、前記摺動部を前方へ摺動することで、摺動部先端が前記咬持部を後方から押上げて同軸ケーブルの咬持動作を解除することを特徴とする。
【０００９】
請求項２の発明は、後部に同軸ケーブルを装着するケーブル装着手段を有する一方、前部に前記同軸ケーブルの接続対象へ接続するために雄ねじが切られたボルト体を有し、前記ケーブル装着手段は、同軸ケーブルが挿入される略筒形状の外部筒体内に形成され、後方側の先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、前記ボルト体は外部筒体に一体形成され、該ボルト体中心軸上には外部筒体内のスリーブ部に亘り貫通形成された連通孔を有し、該連通孔が、接続対象の中心導体を挿入する孔であると共に外部筒体に挿入装着した同軸ケーブルの中心導体を挿入する孔であり、前記連通孔内部に配置した連結金具により、前記接続対象の中心導体と前記外部筒体に装着された同軸ケーブルの中心導体とが連結される同軸ケーブル用コネクタであって、前記スリーブ部は、前記外部筒体に嵌合保持される円盤状突起を備えた内部筒体に一体に形成され、前記抜け止め具は、前記外部筒体と同一中心軸を有する筒形状胴部と、同軸ケーブル周囲に線接触して咬持動作するよう前記胴部の前部に窄み形成した咬持部と、前記胴部の後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、前記リリーサは、円筒状摺動部と該摺動部を操作する鍔状操作部とを有して前記摺動部先端が前記咬持部の背部に配置され、前記外部筒体内へ挿入された同軸ケーブルに対し、前記咬持部が咬持して同軸ケーブルの抜脱を阻止し、前記摺動部を前方へ摺動することで摺動部先端が前記咬持部を後方から押上げて同軸ケーブルの咬持動作を解除することを特徴とする同軸ケーブル用コネクタ。
【００１０】
請求項３の発明は、外部から同軸ケーブルを装着する同軸ケーブル装着手段を有する電子機器収納用箱体であって、前記同軸ケーブル装着手段は、箱体に同軸ケーブルが挿入される略筒形状の外部筒体を突設してその内部に形成され、同軸ケーブルを挿入する先端に向けて肉薄に形成されて同軸ケーブルの内部絶縁体と外部導体との間に挿入されるスリーブ部と、同軸ケーブルの抜脱を阻止する抜け止め具と、該抜け止め具による同軸ケーブルの抜脱阻止を解除するリリーサとを有し、前記抜け止め具は、前記外部筒体と同一中心軸を有する筒形状胴部と、同軸ケーブル周囲に線接触して咬持動作するよう箱体側となる前記胴部の前部に窄み形成した咬持部と、前記胴部の同軸ケーブル挿入側となる後部に設けられて前記外部筒体に係止するフランジ状係止部とから成り、前記胴部と前記咬持部の長さの比、胴部／咬持部が２．２５〜２．６であって、前記咬持部から胴部に亘り連続して形成された切り込みにより前記胴部及び前記咬持部は弾性を有して成り、前記リリーサは、円筒状摺動部と摺動部を操作する鍔状操作部とを有して前記摺動部先端を前記咬持部の内側となる背部に配置し、前記外部筒体内へ挿入された同軸ケーブルに対し、前記咬持部が咬持して同軸ケーブルの抜脱を阻止し、前記摺動部を箱体方向へ摺動することで、摺動部先端が前記咬持部を背部から押上げて同軸ケーブルの咬持動作を解除することを特徴とする。
【００１３】
【発明の実施の形態】
以下、本発明を具体化した実施の形態を、図面に基づいて詳細に説明する。図１は本発明に係る同軸ケーブル用コネクタの第１実施形態を示し、同軸ケーブル接続プラグを示している。尚、図１は、要部を断面で示した説明図である。
図１において、１は内部筒体、２は外部筒体、３は装着したケーブルの抜けを防止する抜け止め具、４は抜け止め具３を固定する固定具、５は抜け止め具３の抜け止め作用を解除するリリーサ、６はレセプタクル等の接続対象に接続するための接続手段であるナット体、そして７は同軸ケーブルであり、図示左方向を前方として以下説明する。
【００１４】
外部筒体２は、先端に内部筒体１の先端部を挿通する挿通孔９を有し、後端が開放された円筒体であり、内部筒体１も略円筒形状で、先端は外部筒体２内部から前方に突出してナット体６と連結する嵌合部１０が形成されている。また、内部筒体１の略中央部には外部筒体２に係止させて外部筒体２と一体化させる円盤状突起１１が形成され、中心軸Ｍ上には同軸ケーブル７の内部絶縁体７ａを挿通する貫通孔１３が形成されている。
そして、内部筒体１の円盤状突起１１形成部から後方は、同軸ケーブル７の内部絶縁体７ａと保護被覆７ｂの間、正確には内部絶縁体７ａと外部導体７ｃの間に挿入するスリーブ部１２を成している。スリーブ部１２は、後方の挿入端部の肉厚を薄くして挿入し易いように形成されている。
【００１５】
抜け止め具３は、弾性を有する金属片、例えばステンレスで形成され、図２（ａ）の斜視図に示すように中央に筒形状胴部３ａを有し、胴部３ａの前部には同軸ケーブル７を咬持する咬持部３ｂが窄み形成され、後部には外部筒体２に係止する係止部３ｃが鍔状に折曲げ形成されている。
咬持部３ｂは、図２（ｂ）の端面説明図に示すように、外部筒体２の中心軸Ｍの直交方向に対して先端が２０°〜４０°の平均角度Ｑ１を設けて中心軸Ｍ方向に折曲げ形成され、更にその先端部内側は中心軸Ｍから角度Ｑ２を持って鋭角に形成されている。そして、この２つの角度Ｑ１，Ｑ２はＱ２＞Ｑ１となるよう形成されている。
また、咬持部３ｂの先端は内部筒体１のスリーブ部１２先端より前方に位置するように配置され、筒部３ａの長さＬ１と咬持部３ｂの長さＬ２の比Ｌ１／Ｌ２を２．５として形成されている。尚、この比Ｌ１／Ｌ２は、１〜３．５の範囲であれば、筒部３ａが同軸ケーブル７の引張りに対して高い抜脱阻止作用を奏する。特にＬ１／Ｌ２を２．２５〜２．６とすると、優れた抜脱阻止作用を奏し、好適である。
【００１６】
そして、咬持部３ｂ先端から胴部３ａに亘りスリット状の切り込み１４が複数設けられ、咬持部３ｂ及び胴部３ａが弾性を有するよう形成されている。咬持部３ｂは、挿入される同軸ケーブル７により拡径され、咬持部３ｂが同軸ケーブル７周囲に食い込むよう咬持動作する。但し、咬持部３ｂは鋭角な先端部を有するが同軸ケーブル７に線接触するために深く食い込むようなことがない。
このように形成した抜け止め具３に、挿入装着された同軸ケーブル７の引張り応力が作用した場合、咬持部３ｂは後方に引張られ、応力は中央の胴部３ａに集中する。その結果、抜け止め具３は胴部３ａの座屈変形が発生するが、この変形は、例えば、抜け止め具３を、厚さ０．２ｍｍのステンレス鋼で形成した場合、３００Ｎ以上の引張り力で発生するため十分な引張り強度を得ることができる。そして、このような状態でも、咬持部３ｂ先端が同軸ケーブル７に深く食い込むことが無いので、同軸ケーブル７が咬持部位から千切れるようなこともない。
【００１７】
また、係止部３ｃは固定具４により外部筒体２に固定されている。外部筒体２は、内側面に固定具４を係止する係止溝１５が周設され、固定具４は、その係止溝１５に合致した直径を有するリング形状に形成され、一箇所に空隙４ｂを設けて弾性を持たせ、縮径可能に形成されている。そして、縮径して外部筒体２に挿入した後、係止溝１５にて拡径復帰して良好に装着される。
尚、外部筒体２の係止溝１５から後方の内径は、抜け止め具３を挿入可能とするため、係止部３ｃに合わせた直径で形成され、係止溝１５端部に抜け止め具３の係止部３ｃは係合し、固定具４を係止溝１５に装着して抜け止め具３は保持固定される。
【００１８】
リリーサ５は、同軸ケーブル７上を摺動する円筒状摺動部５ａと、摺動部５ａを操作する操作部５ｂとから形成されている。摺動部５ａは、同軸ケーブル７を挿通する内径を有し、外部筒体２後部から抜け止め具３の内側に挿入配置され、咬持部３ｂ背部に当接する長さを有している。また、固定具４にはリリーサ５に係合する案内突起４ａが内側面に設けられると共に、摺動部５ａには案内突起４ａを挿入して係合する案内溝１６が穿設され、リリーサ５の抜けを防止している。尚、案内溝１６は案内突起４ａより前後方向に十分長く形成され、リリーサ５の摺動移動を可能としている。
また、操作部５ｂは摺動部５ａの後端に鍔状に形成され、外部筒体２の後方に配置され、操作部５ｂを押して前方に摺動させることで、図４のＡ部拡大図に示すように先端が咬持部３ｂを押上げ、同軸ケーブル７から咬持部３ｂが浮き上がる。その結果、抜け止め具３による同軸ケーブル咬持作用が解除、即ち抜脱阻止作用が解除される。
【００１９】
また、ナット体６は、内部に雌ねじが切られ、後部が外部筒体２から突出された内部筒体１の嵌合部１０に嵌合され、回転可能に外部筒体２と連結されている。尚、内部筒体１の嵌合部１０はナット体６と嵌合した後に先端部が拡径される。
【００２０】
次に、上記プラグの組立て及び同軸ケーブルへの装着手順を説明する。プラグの組立ては、先ず外部筒体２に内部筒体１が後方から挿入され連結される。この時内部筒体１は圧入等により両者は固着一体化される。その過程で、内部筒体１の先端嵌合部１０は挿通孔９から外部筒体２の前方に突出され、突出された嵌合部１０にナット体６を嵌合し、前方からナット体を介して嵌合部９を拡径ささせると、ナット体６は回転自在に外部筒体２に連結される。
【００２１】
その後、抜け止め具３を外部筒体２内に挿入して係止溝１５に係止部３ｃを係合させ、固定具４を係止溝１５に装着して抜け止め具３を係止固定する。但し、固定具４は、リリーサ５を組み付けた状態で装着され、リリーサ５を固定具４に挿通し、固定具４の案内突起４ａにリリーサ５の案内溝１６を係合させて、両者を連結して外部筒体２内に挿入する。この挿入操作は固定具４を縮径操作することで容易に実施でき、こうしてプラグは形成される。
【００２２】
次に同軸ケーブルの装着操作に入る。同軸ケーブル７は、最初にプラグを装着する端部を所定の形状に加工される。中心導体７ｄ及び内部絶縁体７ａが所定の長さに露出されるよう内部絶縁体７ａ及び保護被覆７ｂを切除する。後は、同軸ケーブル７を外部筒体２に後方から挿入操作すれば良い。
同軸ケーブル７の挿入は、保護被覆７ｂが内部筒体１の円盤状突起１１に当接する所定位置まで行われる。こうすることで、スリーブ部１２は内部絶縁体７ａと外部導体７ｃの間に挿入され、内部筒体１は外部導体７ｃと確実に電気的接続が成され、同時に保護被覆７ｂは拡径され、スリーブ部１２に重なる位置に配置された咬持部３ｂは図３に示すように確実に同軸ケーブル７を咬持するよう作用する。更に、中心導体７ｄの先端はナット体６先端位置まで突出し、ナット体６の中心軸上に同軸ケーブル７の中心導体７ｄが配置され、接続手段の中心導体を得る。
【００２３】
このように、コネクタに装着した同軸ケーブルは、引張り応力が加わっても抜けてしまうようなことがなく、堅牢な装着ができる。それでいて、リリーサを操作すれば、抜け止め具による抜脱阻止作用を解除できるので、ケーブル交換等の作業を容易に実施できる。
更に、外部筒体内に抜け止め具を備えたケーブル装着手段を形成し、端部を所定の形状に処理した同軸ケーブルを外部筒体に挿入操作する簡単な装着操作でコネクタの装着は完了するので、コネクタ装着を容易に行うことができる。
また、リリーサは簡単な構造及び形状で済み、コネクタの構成が複雑になることがないし、接続手段をプラグとすることで電子機器等のレセプタクル端子に接続できる。
【００２４】
図５は抜け止め具の他の例を示している。上記図２に示す抜け止め具３との相違点を説明すると、咬持部１８ｂ先端から筒部１８ａに亘り設けられた各切り込み１４の間に、係止部１８ｃ端部から筒部１８ａに亘って第２の切り込み１９が形成されている。
このように、後方からも切り込みを形成することで、咬持部、筒部に加えて係止部にも弾性を持たせることができ、外部筒体への抜け止め具の挿入係止操作がし易くなる。
尚、図２及び図５双方の抜け止め具３，１８は、切り込み１４を図面上４箇所に設けているが、少なくとも３箇所あれば胴部３ａ，１８ａ及び咬持部３ｂ，１８ｂに弾性を生じさせることができるし、５箇所以上に切り込みを設けても良い。
【００２５】
次に、本発明に係る同軸ケーブル用コネクタの第２の実施形態を図６を基に説明する。図６は同軸ケーブル接続レセプタクルの要部を断面で示した側面図であり、図１との相違点は、接続手段を雄ねじが切られたボルト体２１としている点である。尚、上記図１と同様の構成部材には同一の符号を付与してある。
【００２６】
ボルト体２１は、外部筒体２内のスリーブ部１２から貫通形成された連通孔２２を有し、連通孔２２内には接続対象の中心導体とコネクタに装着した同軸ケーブル７の中心導体を連結する連結金具２３が配置されている。この連結金具２３は、連通孔２２内に挿入された樹脂製の保持筒２４内に配置され、保持筒２４は前面及び背面に夫々中心導体を挿入するための挿入孔２４ａが形成されている。
また、内部筒体１ａは、スリーブ部１２と円盤状突起１１を有し、円盤状突起１１の前面側は平坦に形成され、外部筒体２の奥部に固着一体化されている。
【００２７】
このレセプタクルの組立ては、最初に連結金具２３を組み付けた保持筒２４を外部筒体２後方からボルト体２１内に挿入し、次に内部筒体１ａを同様に後方から挿入及び圧入すれば良い。その後は、第１の実施形態と同様に、抜け止め具３、固定具４、リリーサ５等を組み付けることで組立てられる。
また、同軸ケーブルの装着手順も上記第１の実施形態と同様であり、所定形状に端部を加工した同軸ケーブル７を外部筒体２に挿入することで確実に装着され、引張り応力が作用しても抜けてしまうようなことがない。そして、差し込んだ同軸ケーブル７の中心導体７ｄは保持筒２４内に挿入され、連結金具２３に挟持される。
このようにコネクタをセプタクルとして形成することで、例えば上記第１の実施形態のようなプラグを連結でき、同軸ケーブル同士を容易に連結できる。
【００２８】
尚、上記実施の形態では、外部筒体を円筒形状としているが、他の形状、例えば６角柱形状としても何ら差し支えない。また、接続手段は、上記プラグ或いはレセプタクル構造以外の形状であっても良く、外部筒体内のケーブル装着手段が上記構成であれば、抜脱作用を良好に発揮できる。
【００２９】
図７は、本発明に係る電子機器収納用箱体（以下、単に箱体と称する。）を示している。図７は箱体の断面説明図であり、２６は箱体、２７は箱体内に組み付けられた回路基板、２８は同軸ケーブル装着手段を示している。尚、上記図１と同様の構成部材には同一の符号を付与してある。
【００３０】
箱体２６は、本体２６ａと蓋板２６ｂから成り、共に金属製であり内部空間は外部からシールドされて密閉されるよう形成されている。そして、本体２６ａ側面に筒状の外部筒体２が突設され、外部筒体２ｂは本体２６ａに一体に形成されている。外部筒体２ｂ内部は、図１と同様な同軸ケーブル装着手段２８が形成され、外部筒体に固着されてスリーブ部１２を有する内部筒体と、抜け止め具３と、固定具４と、リリーサ５とを備えている。
一方、外部筒体２ｂの箱体内端部は、接続された同軸ケーブル７の中心導体７ｄを箱体２６の内部空間に挿通する連結孔２９が形成され、中心導体７ｄに接続される連結金具３０が箱体２６内に配置された回路基板２７に、連結孔２９の位置に合わせて組み付けられ挿入された同軸ケーブルの接続手段を形成している。
【００３１】
このように、箱体に上記コネクタと同様の同軸ケーブル装着手段を設けることができ、装着した同軸ケーブルは、抜け止め具の作用により引張り応力が加わっても抜けてしまうようなことがなく、堅牢な装着ができる。それでいて、リリーサを操作すれば、抜け止め具による抜脱阻止作用を解除できるので、ケーブル交換等の作業を容易に実施できる。また、同軸ケーブルの端部を所定の形状に処理して外部筒体に挿入するだけで、箱体への装着が完了するので、同軸ケーブルの装着が容易である。
更に、リリーサは簡単な構造及び形状で済み、同軸ケーブル装着手段の構成が複雑になることがない。
【００３２】
尚、この電子機器収納用箱体の実施形態では、外部筒体２を箱体２６の外方へ突出させているが、反対方向の箱体内部空間へ突出させて同軸ケーブル装着手段をその外部筒体内に形成しても良い。そうすることで、内部空間は狭くなるが、箱体の見映えは向上する。また、接続手段を回路基板上に組み付けているが、連結金具３０を本体２６ａ側に設けても良い。
また、何れの実施形態もリリース機能を持たせるためにリリーサを設けているが、リリース機能が必要ない部位に使用するものであれば、当然リリーサを設ける必要が無く、装着した同軸ケーブルが抜けにくい堅牢なコネクタをその分安価に構成できる。
【００３３】
【発明の効果】
以上詳述したように、請求項１の発明によれば、コネクタに装着した同軸ケーブルは、抜け止め具の作用により引張り応力が加わっても抜けてしまうようなことがなく、堅牢な装着ができる。それでいて、リリーサを操作すれば、抜け止め具による抜脱阻止作用を解除できるので、ケーブル交換等の作業を容易に実施できる。また、同軸ケーブルの端部を所定の形状に処理して外部筒体に挿入するだけで、コネクタ装着が完了するので、コネクタ装着が容易である。
更に、リリーサは簡単な構造及び形状で済むし、コネクタの構成が複雑になることがない。また、電子機器等のレセプタクル端子に接続できる。
【００３４】
請求項２の発明によれば、コネクタに装着した同軸ケーブルは、抜け止め具の作用により引張り応力が加わっても抜けてしまうようなことがなく、堅牢な装着ができる。それでいて、リリーサを操作すれば、抜け止め具による抜脱阻止作用を解除できるので、ケーブル交換等の作業を容易に実施できる。また、同軸ケーブルの端部を所定の形状に処理して外部筒体に挿入するだけで、コネクタ装着が完了するので、コネクタ装着が容易である。
更に、リリーサは簡単な構造及び形状で済むし、コネクタの構成が複雑になることがない。そして、プラグ端子に接続でき、同軸ケーブル同士の接続を容易に実施できる。
【００３５】
請求項３の発明によれば、箱体に装着した同軸ケーブルは、抜け止め具の作用により引張り応力が加わっても抜けてしまうようなことがなく、堅牢な装着ができる。それでいて、リリーサを操作すれば、抜け止め具による抜脱阻止作用を解除できるので、ケーブル交換等の作業を容易に実施できる。また、同軸ケーブルの端部を所定の形状に処理して外部筒体に挿入するだけで、箱体への装着が完了するので、同軸ケーブルの装着が容易である。
【００３６】
更に、リリーサは簡単な構造及び形状で済み、同軸ケーブル装着手段の構成が複雑になることがない。
【図面の簡単な説明】
【図１】本発明に係る同軸ケーブル用コネクタの第１の実施形態を示し、一部断面で示した同軸ケーブル用コネクタの側面図である。
【図２】図１の抜け止め具を示し、（ａ）は斜視図、（ｂ）は端面説明図である。
【図３】図１のＡ部拡大図で、スリーブ部の作用により、抜け止め具の変形する様子を示す図である。
【図４】図１のＡ部拡大図で、リリーサの作用説明図である。
【図５】抜け止め具の他の例を示す斜視図である。
【図６】本発明に係る同軸ケーブル用コネクタの第２の実施形態を示し、一部断面で示した同軸ケーブル用コネクタの側面図である。
【図７】本発明に係る電子機器収納用箱体の実施形態の一例を示す断面説明図である。
【符号の説明】
１，１ａ，１ｂ・・内部筒体、２・・外部筒体、３・・抜け止め具、３ａ・・胴部、３ｂ・・咬持部、３ｃ・・係止部、４・・固定具、４ａ・・案内突起、５・・リリーサ、５ａ・・摺動部、５ｂ・・操作部、６・・ナット体、７・・同軸ケーブル、９・・挿通孔、１０・・嵌合部、１１・・円盤状突起、１２・・スリーブ部、１４・・切り込み、１８・・抜け止め具、１８ａ・・胴部、１８ｂ・・咬持部、１８ｃ・・係止部、２１・・ボルト体、２２・・連通孔、２３・・連結金具、２６・・箱体、２７・・回路基板、２８・・同軸ケーブル装着手段、３０・・連結金具。
【図１】
0004685320.tif 000002
【図２】
0004685320.tif 000003
【図３】
0004685320.tif 000004
【図４】
0004685320.tif 000005
【図５】
0004685320.tif 000006
【図６】
0004685320.tif 000007
【図７】
0004685320.tif 000008